(57)【特許請求の範囲】
【請求項１】
画像記録装置と、前記画像記録装置とデータの通信を行なう携帯端末とを備える画像記録システムであって、
前記画像記録装置は、
ユーザに関する認証情報に関連付けられた画像データファイルを記憶する記憶部と、
記録媒体に前記画像データファイルに係る画像を記録する記録部と、
第１表示部と、
前記第１表示部の表示を制御する第１表示部制御手段と、
前記認証情報が入力される第１入力部と、
前記認証情報が所定の情報を具備しているか否かの判断を行う認証判断手段と、
前記第１入力部に入力された前記認証情報が前記所定の情報を具備していると前記認証判断手段が判断したとき、当該認証情報に関するユーザの前記携帯端末を特定する携帯端末特定手段と、
前記携帯端末との間でデータの通信を行う装置側通信部と、
前記認証判断手段により前記所定の情報を具備していると判断された前記認証情報に関連付けられた前記画像データファイルの識別情報である特定識別情報を、前記装置側通信部により前記携帯端末特定手段により特定された前記携帯端末に送信する装置側送信制御手段とを有しており、
前記携帯端末は、
第２表示部と、
前記画像記録装置との間でデータの通信を行う端末側通信部と、
前記端末側通信部で受信した前記特定識別情報を前記第２表示部に表示させる第２表示部制御手段とを有しており、
前記第１表示部制御手段は、前記第１入力部によって入力された前記認証情報が前記所定の情報を具備していると前記認証判断手段が判断したとき、前記携帯端末特定手段が前記携帯端末を特定できなければ、前記特定識別情報を前記第１表示部に表示させることを特徴とする画像記録システム。
【請求項２】
画像記録装置と、前記画像記録装置とデータの通信を行なうサーバーと、前記画像記録装置とデータの通信を行なう携帯端末とを備える画像記録システムであって、
前記画像記録装置は、ユーザに関する認証情報に関連付けられた画像データファイルを記憶する記憶部と、記録媒体に前記画像データファイルに係る画像を記録する記録部と、第１表示部と、前記第１表示部の表示を制御する第１表示部制御手段と、前記認証情報が入力される第１入力部と、前記第１入力部に入力された前記認証情報に関するユーザの前記携帯端末を特定する携帯端末特定手段と、前記サーバー又は前記携帯端末との間でデータの通信を行う装置側通信部と、前記装置側通信部を制御する装置側通信制御手段とを有し、
前記サーバーは、前記認証情報が所定の情報を具備しているか否かの判断を行う認証判断手段と、前記画像記録装置との間でデータの通信を行うサーバー側通信部と、前記サーバー側通信部を制御するサーバー側通信制御手段とを有し、
前記携帯端末は、第２表示部と、前記第２表示部の表示を制御する第２表示部制御手段と、前記画像記録装置との間でデータの通信を行う端末側通信部と、前記端末側通信部を制御する端末側通信制御手段とを有しており、
前記装置側通信制御手段は、前記装置側通信部により前記第１入力部に入力された前記認証情報を前記サーバーに送信させ、
前記サーバー側通信部で受信した当該認証情報が前記認証判断手段により前記所定の情報を具備している判断された場合、前記サーバー側通信制御手段は、前記サーバー側通信部により当該判断を前記画像記録装置に送信させ、
当該判断を前記装置側通信部により受信した場合、前記携帯端末特定手段は前記認証情報に関するユーザの前記携帯端末を特定し、且つ、前記装置側通信制御手段は前記装置側通信部により、前記所定の情報を具備していると判断された前記認証情報に関連付けられた前記画像データファイルの識別情報である特定識別情報を、前記携帯端末特定手段により特定された前記携帯端末に送信させ、
前記第２表示部制御手段は、前記端末側通信部で受信した前記特定識別情報を前記第２表示部に表示させ、
前記第１表示部制御手段は、前記第１入力部によって入力された前記認証情報が前記所定の情報を具備していると前記認証判断手段が判断したとき、前記携帯端末特定手段が前記携帯端末を特定できなければ、前記特定識別情報を前記第１表示部に表示させることを特徴とする画像記録システム。
【請求項３】
画像記録装置と、前記画像記録装置とデータの通信を行なう携帯端末とを備える画像記録システムであって、
前記画像記録装置は、
ユーザに関する認証情報に関連付けられた画像データファイルを記憶する記憶部と、
記録媒体に前記画像データファイルに係る画像を記録する記録部と、
第１表示部と、
前記第１表示部の表示を制御する第１表示部制御手段と、
前記認証情報が入力される第１入力部と、
前記認証情報が所定の情報を具備しているか否かの判断を行う認証判断手段と、
前記第１入力部に入力された前記認証情報が前記所定の情報を具備していると前記認証判断手段が判断したとき、当該認証情報に関するユーザの前記携帯端末を特定する携帯端末特定手段と、
前記携帯端末との間でデータの通信を行う装置側通信部と、
前記認証判断手段により前記所定の情報を具備していると判断された前記認証情報に関連付けられた前記画像データファイルの識別情報である特定識別情報を、前記装置側通信部により前記携帯端末特定手段により特定された前記携帯端末に送信する装置側送信制御手段とを有しており、
前記携帯端末は、
第２表示部と、
前記画像記録装置との間でデータの通信を行う端末側通信部と、
前記端末側通信部で受信した前記特定識別情報を前記第２表示部に表示させる第２表示部制御手段とを有しており、
前記第１表示部制御手段は、前記記憶部に記憶された前記画像データファイルのうち、前記認証情報に関連付けられていない前記画像データファイルの識別情報を前記第１表示部に表示させることを特徴とする画像記録システム。
【請求項４】
画像記録装置と、前記画像記録装置とデータの通信を行なうサーバーと、前記画像記録装置とデータの通信を行なう携帯端末とを備える画像記録システムであって、
前記画像記録装置は、ユーザに関する認証情報に関連付けられた画像データファイルを記憶する記憶部と、記録媒体に前記画像データファイルに係る画像を記録する記録部と、第１表示部と、前記第１表示部の表示を制御する第１表示部制御手段と、前記認証情報が入力される第１入力部と、前記第１入力部に入力された前記認証情報に関するユーザの前記携帯端末を特定する携帯端末特定手段と、前記サーバー又は前記携帯端末との間でデータの通信を行う装置側通信部と、前記装置側通信部を制御する装置側通信制御手段とを有し、
前記サーバーは、前記認証情報が所定の情報を具備しているか否かの判断を行う認証判断手段と、前記画像記録装置との間でデータの通信を行うサーバー側通信部と、前記サーバー側通信部を制御するサーバー側通信制御手段とを有し、
前記携帯端末は、第２表示部と、前記第２表示部の表示を制御する第２表示部制御手段と、前記画像記録装置との間でデータの通信を行う端末側通信部と、前記端末側通信部を制御する端末側通信制御手段とを有しており、
前記装置側通信制御手段は、前記装置側通信部により前記第１入力部に入力された前記認証情報を前記サーバーに送信させ、
前記サーバー側通信部で受信した当該認証情報が前記認証判断手段により前記所定の情報を具備している判断された場合、前記サーバー側通信制御手段は、前記サーバー側通信部により当該判断を前記画像記録装置に送信させ、
当該判断を前記装置側通信部により受信した場合、前記携帯端末特定手段は前記認証情報に関するユーザの前記携帯端末を特定し、且つ、前記装置側通信制御手段は前記装置側通信部により、前記所定の情報を具備していると判断された前記認証情報に関連付けられた前記画像データファイルの識別情報である特定識別情報を、前記携帯端末特定手段により特定された前記携帯端末に送信させ、
前記第２表示部制御手段は、前記端末側通信部で受信した前記特定識別情報を前記第２表示部に表示させ、
前記第１表示部制御手段は、前記記憶部に記憶された前記画像データファイルのうち、前記認証情報に関連付けられていない前記画像データファイルの識別情報を前記第１表示部に表示させることを特徴とする画像記録システム。
【請求項５】
画像記録装置と、前記画像記録装置とデータの通信を行なうサーバーと、前記サーバーとデータの通信を行なう携帯端末とを備える画像記録システムであって、
前記画像記録装置は、記録媒体に画像を記録する記録部と、第１表示部と、前記第１表示部の表示を制御する第１表示部制御手段と、認証情報が入力される第１入力部と、前記サーバーとの間でデータの通信を行う装置側通信部と、前記装置側通信部を制御する装置側通信制御手段とを有し、
前記サーバーは、ユーザに関する前記認証情報に関連付けられた画像データファイルを記憶する記憶部と、前記認証情報が所定の情報を具備しているか否かの判断を行う認証判断手段と、前記認証情報が前記所定の情報を具備していると前記認証判断手段が判断したときに当該認証情報に関するユーザの前記携帯端末を特定する携帯端末特定手段と、前記画像記録装置又は前記携帯端末との間でデータの通信を行うサーバー側通信部と、前記サーバー側通信部を制御するサーバー側通信制御手段とを有し、
前記携帯端末は、第２表示部と、前記第２表示部の表示を制御する第２表示部制御手段と、前記サーバーとの間でデータの通信を行う端末側通信部と、前記端末側通信部を制御する端末側通信制御手段とを有しており、
前記装置側通信制御手段は、前記装置側通信部により前記第１入力部に入力された前記認証情報を前記サーバーに送信させ、
前記サーバー側通信部で受信した当該認証情報が前記認証判断手段により前記所定の情報を具備している判断された場合、前記サーバー側通信制御手段は前記サーバー側通信部により、前記所定の情報を具備していると判断された前記認証情報に関連付けられた前記画像データファイルの識別情報である特定識別情報を、前記携帯端末特定手段により特定された前記携帯端末に送信させ、
前記第２表示部制御手段は、前記端末側通信部で受信した前記特定識別情報を前記第２表示部に表示させ、
前記第１表示部制御手段は、前記第１入力部によって入力された前記認証情報が前記所定の情報を具備していると前記認証判断手段が判断したとき、前記携帯端末特定手段が前記携帯端末を特定できなければ、前記特定識別情報を前記第１表示部に表示させることを特徴とする画像記録システム。
【請求項６】
画像記録装置と、前記画像記録装置とデータの通信を行なうサーバーと、前記サーバーとデータの通信を行なう携帯端末とを備える画像記録システムであって、
前記画像記録装置は、記録媒体に画像を記録する記録部と、第１表示部と、前記第１表示部の表示を制御する第１表示部制御手段と、認証情報が入力される第１入力部と、前記サーバーとの間でデータの通信を行う装置側通信部と、前記装置側通信部を制御する装置側通信制御手段とを有し、
前記サーバーは、ユーザに関する前記認証情報に関連付けられた画像データファイルを記憶する記憶部と、前記認証情報が所定の情報を具備しているか否かの判断を行う認証判断手段と、前記認証情報が前記所定の情報を具備していると前記認証判断手段が判断したときに当該認証情報に関するユーザの前記携帯端末を特定する携帯端末特定手段と、前記画像記録装置又は前記携帯端末との間でデータの通信を行うサーバー側通信部と、前記サーバー側通信部を制御するサーバー側通信制御手段とを有し、
前記携帯端末は、第２表示部と、前記第２表示部の表示を制御する第２表示部制御手段と、前記サーバーとの間でデータの通信を行う端末側通信部と、前記端末側通信部を制御する端末側通信制御手段とを有しており、
前記装置側通信制御手段は、前記装置側通信部により前記第１入力部に入力された前記認証情報を前記サーバーに送信させ、
前記サーバー側通信部で受信した当該認証情報が前記認証判断手段により前記所定の情報を具備している判断された場合、前記サーバー側通信制御手段は前記サーバー側通信部により、前記所定の情報を具備していると判断された前記認証情報に関連付けられた前記画像データファイルの識別情報である特定識別情報を、前記携帯端末特定手段により特定された前記携帯端末に送信させ、
前記第２表示部制御手段は、前記端末側通信部で受信した前記特定識別情報を前記第２表示部に表示させ、
前記第１表示部制御手段は、前記記憶部に記憶された前記画像データファイルのうち、前記認証情報に関連付けられていない前記画像データファイルの識別情報を前記第１表示部に表示させることを特徴とする画像記録システム。
【請求項７】
前記画像記録装置は、前記画像記録装置と前記携帯端末との距離を計測する距離計測手段を更に備えており、
前記携帯端末特定手段は、前記第１入力部によって入力された前記認証情報が前記所定の情報を具備していると前記認証判断手段が判断したとき、当該認証情報に関するユーザの前記携帯端末で且つ前記距離計測手段が計測した距離が所定値以下の前記携帯端末を特定することを特徴とする請求項１〜４のいずれか１項に記載の画像記録システム。
【請求項８】
前記画像記録装置は、前記特定識別情報を前記第１表示部に表示させることを許可するか否かのユーザ入力がなされる第２入力部を更に有し、
前記第１表示部制御手段は、前記第１入力部によって入力された前記認証情報が前記所定の情報を具備していると前記認証判断手段が判断したとき、前記携帯端末特定手段が前記携帯端末を特定できなければ、特定できなかった旨を前記第１表示部に表示させ、前記第２入力部への表示を許可する旨のユーザ入力後に前記特定識別情報を前記第１表示部に表示させることを特徴とする請求項１，２，５のいずれか１項に記載の画像記録システム。
【請求項９】
前記画像記録装置は、ユーザに関する認証情報が入力される第３入力部をさらに備えており、
前記認証判断手段は、前記第３入力部によって入力された前記認証情報が前記所定の情報を具備しているか否かをさらに判断し、
前記第１表示部制御手段は、前記第３入力部によって入力された前記認証情報が前記所定の情報を具備していると前記認証判断手段が判断したとき、前記特定識別情報を、前記第１表示部に表示させることを特徴とする請求項３又は４に記載の画像記録システム。
【請求項１０】
前記携帯端末は、
前記認証情報を記憶する認証情報記憶手段と、
前記認証情報記憶手段に記憶された前記認証情報を接触方式又は非接触方式で前記第１入力部に入力する通信手段とをさらに有していることを特徴とする請求項１〜９のいずれか１項に記載の画像記録システム。
【請求項１１】
前記第２表示部制御手段は、前記特定識別情報を前記携帯端末特定手段によって特定された前記携帯端末の前記第２表示部に表示させた後、前記画像データファイルに関する画像を前記第２表示部にプレビュー表示させることを特徴とする請求項１〜１０のいずれか１項に記載の画像記録システム。
【請求項１２】
前記第１表示部制御手段は、前記特定識別情報を前記第２表示部制御手段が前記第２表示部に表示させているときは、前記第１表示部にその旨を表示させることを特徴とする請求項１〜１１のいずれか１項に記載の画像記録システム。
【請求項１３】
前記第２表示部制御手段は、前記記憶部に記憶された前記画像データファイルのうち、前記認証情報に関連付けられていない前記画像データファイルの識別情報を前記第２表示部に表示させず、
前記第１表示部制御手段は、前記記憶部に記憶された前記画像データファイルのうち、前記認証情報に関連付けられていない前記画像データファイルの識別情報を前記第１表示部に表示させることを特徴とする請求項１〜１２のいずれか１項に記載の画像記録システム。
【請求項１４】
画像記録装置と、前記画像記録装置とデータの通信を行なう携帯端末とを備える画像記録システムの前記画像記録装置であって、
ユーザに関する認証情報に関連付けられた画像データファイルを記憶する記憶部と、
記録媒体に前記画像データファイルに係る画像を記録する記録部と、
第１表示部と、
前記第１表示部の表示を制御する第１表示部制御手段と、
前記認証情報が入力される第１入力部と、
前記認証情報が所定の情報を具備しているか否かの判断を行う認証判断手段と、
前記第１入力部に入力された前記認証情報が前記所定の情報を具備していると前記認証判断手段が判断したとき、当該認証情報に関するユーザの前記携帯端末を特定する携帯端末特定手段と、
前記携帯端末との間でデータの通信を行う装置側通信部と、
前記認証判断手段により前記所定の情報を具備していると判断された前記認証情報に関連付けられた前記画像データファイルの識別情報である特定識別情報を、前記装置側通信部により前記携帯端末特定手段により特定された前記携帯端末に送信する装置側送信制御手段とを有し、
前記第１表示部制御手段は、前記第１入力部によって入力された前記認証情報が前記所定の情報を具備していると前記認証判断手段が判断したとき、前記携帯端末特定手段が前記携帯端末を特定できなければ、前記特定識別情報を前記第１表示部に表示させることを特徴とする画像記録装置。
【請求項１５】
画像記録装置と、前記画像記録装置とデータの通信を行なう携帯端末とを備える画像記録システムの前記画像記録装置であって、
ユーザに関する認証情報に関連付けられた画像データファイルを記憶する記憶部と、
記録媒体に前記画像データファイルに係る画像を記録する記録部と、
第１表示部と、
前記第１表示部の表示を制御する第１表示部制御手段と、
前記認証情報が入力される第１入力部と、
前記認証情報が所定の情報を具備しているか否かの判断を行う認証判断手段と、
前記第１入力部に入力された前記認証情報が前記所定の情報を具備していると前記認証判断手段が判断したとき、当該認証情報に関するユーザの前記携帯端末を特定する携帯端末特定手段と、
前記携帯端末との間でデータの通信を行う装置側通信部と、
前記認証判断手段により前記所定の情報を具備していると判断された前記認証情報に関連付けられた前記画像データファイルの識別情報である特定識別情報を、前記装置側通信部により前記携帯端末特定手段により特定された前記携帯端末に送信する装置側送信制御手段とを有し、
前記第１表示部制御手段は、前記記憶部に記憶された前記画像データファイルのうち、前記認証情報に関連付けられていない前記画像データファイルの識別情報を前記第１表示部に表示させることを特徴とする画像記録装置。
【請求項１６】
表示部を有する携帯端末とデータの通信を行なうことが可能であって、記録媒体に画像データファイルに係る画像を記録する記録部と、第１表示部と、ユーザに関する認証情報が入力される第１入力部と、前記携帯端末との間でデータの通信を行う装置側通信部とを有する画像記録装置に用いられるプログラムであって、
前記画像記録装置を、
ユーザに関する前記認証情報に関連付けられた画像データファイルを記憶する記憶部、
前記第１表示部の表示を制御する第１表示部制御手段、
前記第１入力部に入力された前記認証情報が所定の情報を具備しているか否かの判断を行う認証判断手段、
前記第１入力部に入力された前記認証情報が前記所定の情報を具備していると前記認証判断手段が判断したとき、当該認証情報に関するユーザの前記携帯端末を特定する携帯端末特定手段、及び、
前記認証判断手段により前記所定の情報を具備していると判断された前記認証情報に関連付けられた前記画像データファイルの識別情報である特定識別情報を、前記装置側通信部により前記携帯端末特定手段により特定された前記携帯端末に送信する装置側送信制御手段として機能させ、
前記第１表示部制御手段は、前記第１入力部によって入力された前記認証情報が前記所定の情報を具備していると前記認証判断手段が判断したとき、前記携帯端末特定手段が前記携帯端末を特定できなければ、前記特定識別情報を前記第１表示部に表示させることを特徴とする画像記録装置用プログラム。
【請求項１７】
表示部を有する携帯端末とデータの通信を行なうことが可能であって、記録媒体に画像データファイルに係る画像を記録する記録部と、第１表示部と、ユーザに関する認証情報が入力される第１入力部と、前記携帯端末との間でデータの通信を行う装置側通信部とを有する画像記録装置に用いられるプログラムであって、
前記画像記録装置を、
ユーザに関する前記認証情報に関連付けられた画像データファイルを記憶する記憶部、
前記第１表示部の表示を制御する第１表示部制御手段、
前記第１入力部に入力された前記認証情報が所定の情報を具備しているか否かの判断を行う認証判断手段、
前記第１入力部に入力された前記認証情報が前記所定の情報を具備していると前記認証判断手段が判断したとき、当該認証情報に関するユーザの前記携帯端末を特定する携帯端末特定手段、及び、
前記認証判断手段により前記所定の情報を具備していると判断された前記認証情報に関連付けられた前記画像データファイルの識別情報である特定識別情報を、前記装置側通信部により前記携帯端末特定手段により特定された前記携帯端末に送信する装置側送信制御手段として機能させ、
前記第１表示部制御手段は、前記記憶部に記憶された前記画像データファイルのうち、前記認証情報に関連付けられていない前記画像データファイルの識別情報を前記第１表示部に表示させることを特徴とする画像記録装置用プログラム。
【発明の詳細な説明】
【技術分野】
【０００１】
本発明は、記録媒体に画像を記録する画像記録装置、画像記録システム及びプログラムに関する。
【背景技術】
【０００２】
複数のユーザが有線又は無線通信を介してプリンタを共有することができる印刷システムがある。このような印刷システムにおいて、印刷物のセキュリティを高めるため、ユーザが印刷すべき画像の画像データを端末からプリンタに送信し、ユーザがプリンタの操作パネルを用いて認証手続きを完了させた後に、当該画像データに係る印刷を実行する技術（セキュア印刷）が知られている（例えば、特許文献１参照）。
【先行技術文献】
【特許文献】
【０００３】
【特許文献１】特開２００３−９４７７７号公報
【発明の概要】
【発明が解決しようとする課題】
【０００４】
上述した技術によると、ユーザがプリンタに認証情報を入力したとき、プリンタの操作パネルに印刷可能なデータファイルの一覧が表示される。このとき、データファイルの名称などの識別情報を他のユーザに見られて、特定の機密情報をそのユーザが保有していることを知られる可能性がある。
【０００５】
本発明の目的は、セキュア印刷において記録すべき画像に関する識別情報が他のユーザに見られるのを防止することができる画像記録装置、画像記録システム及びプログラムを提供することにある。
【課題を解決するための手段】
【０００６】
本発明の画像記録システムは、画像記録装置と、前記画像記録装置とデータの通信を行なう携帯端末とを備える画像記録システムであって、前記画像記録装置は、ユーザに関する認証情報に関連付けられた画像データファイルを記憶する記憶部と、記録媒体に前記画像データファイルに係る画像を記録する記録部と、第１表示部と、前記第１表示部の表示を制御する第１表示部制御手段と、前記認証情報が入力される第１入力部と、前記認証情報が所定の情報を具備しているか否かの判断を行う認証判断手段と、前記第１入力部に入力された前記認証情報が前記所定の情報を具備していると前記認証判断手段が判断したとき、当該認証情報に関するユーザの前記携帯端末を特定する携帯端末特定手段と、前記携帯端末との間でデータの通信を行う装置側通信部と、前記認証判断手段により前記所定の情報を具備していると判断された前記認証情報に関連付けられた前記画像データファイルの識別情報である特定識別情報を、前記装置側通信部により前記携帯端末特定手段により特定された前記携帯端末に送信する装置側送信制御手段とを有しており、前記携帯端末は、第２表示部と、前記画像記録装置との間でデータの通信を行う端末側通信部と、前記端末側通信部で受信した前記特定識別情報を前記第２表示部に表示させる第２表示部制御手段とを有する。
【０００７】
別の観点から見て本発明の画像記録システムは、画像記録装置と、前記画像記録装置とデータの通信を行なうサーバーと、前記画像記録装置とデータの通信を行なう携帯端末とを備える画像記録システムであって、前記画像記録装置は、ユーザに関する認証情報に関連付けられた画像データファイルを記憶する記憶部と、記録媒体に前記画像データファイルに係る画像を記録する記録部と、第１表示部と、前記第１表示部の表示を制御する第１表示部制御手段と、前記認証情報が入力される第１入力部と、前記第１入力部に入力された前記認証情報に関するユーザの前記携帯端末を特定する携帯端末特定手段と、前記サーバー又は前記携帯端末との間でデータの通信を行う装置側通信部と、前記装置側通信部を制御する装置側通信制御手段とを有し、前記サーバーは、前記認証情報が所定の情報を具備しているか否かの判断を行う認証判断手段と、前記画像記録装置との間でデータの通信を行うサーバー側通信部と、前記サーバー側通信部を制御するサーバー側通信制御手段とを有し、前記携帯端末は、第２表示部と、前記第２表示部の表示を制御する第２表示部制御手段と、前記画像記録装置との間でデータの通信を行う端末側通信部と、前記端末側通信部を制御する端末側通信制御手段とを有しており、前記装置側通信制御手段は、前記装置側通信部により前記第１入力部に入力された前記認証情報を前記サーバーに送信させ、前記サーバー側通信部で受信した当該認証情報が前記認証判断手段により前記所定の情報を具備している判断された場合、前記サーバー側通信制御手段は、前記サーバー側通信部により当該判断を前記画像記録装置に送信させ、当該判断を前記装置側通信部により受信した場合、前記携帯端末特定手段は前記認証情報に関するユーザの前記携帯端末を特定し、且つ、前記装置側通信制御手段は前記装置側通信部により、前記所定の情報を具備していると判断された前記認証情報に関連付けられた前記画像データファイルの識別情報である特定識別情報を、前記携帯端末特定手段により特定された前記携帯端末に送信させ、前記第２表示部制御手段は、前記端末側通信部で受信した前記特定識別情報を前記第２表示部に表示させる。
【０００８】
さらに別の観点から見て本発明の画像記録システムは、画像記録装置と、前記画像記録装置とデータの通信を行なうサーバーと、前記サーバーとデータの通信を行なう携帯端末とを備える画像記録システムであって、前記画像記録装置は、記録媒体に画像を記録する記録部と、第１表示部と、前記第１表示部の表示を制御する第１表示部制御手段と、認証情報が入力される第１入力部と、前記サーバーとの間でデータの通信を行う装置側通信部と、前記装置側通信部を制御する装置側通信制御手段とを有し、前記サーバーは、ユーザに関する前記認証情報に関連付けられた画像データファイルを記憶する記憶部と、前記認証情報が所定の情報を具備しているか否かの判断を行う認証判断手段と、前記認証情報が前記所定の情報を具備していると前記認証判断手段が判断したときに当該認証情報に関するユーザの前記携帯端末を特定する携帯端末特定手段と、前記画像記録装置又は前記携帯端末との間でデータの通信を行うサーバー側通信部と、前記サーバー側通信部を制御するサーバー側通信制御手段とを有し、前記携帯端末は、第２表示部と、前記第２表示部の表示を制御する第２表示部制御手段と、前記サーバーとの間でデータの通信を行う端末側通信部と、前記端末側通信部を制御する端末側通信制御手段とを有しており、前記装置側通信制御手段は、前記装置側通信部により前記第１入力部に入力された前記認証情報を前記サーバーに送信させ、前記サーバー側通信部で受信した当該認証情報が前記認証判断手段により前記所定の情報を具備している判断された場合、前記サーバー側通信制御手段は前記サーバー側通信部により、前記所定の情報を具備していると判断された前記認証情報に関連付けられた前記画像データファイルの識別情報である特定識別情報を、前記携帯端末特定手段により特定された前記携帯端末に送信させ、前記第２表示部制御手段は、前記端末側通信部で受信した前記特定識別情報を前記第２表示部に表示させる。
【００１２】
さらに別の観点から見て本発明のプログラムは、画像記録装置と、前記画像記録装置とデータの通信を行なうサーバーと、前記サーバーとデータの通信を行なう携帯端末とを備える画像記録システムに用いられるプログラムであって、前記画像記録装置を、記録媒体に画像を記録する記録部、第１表示部、前記第１表示部の表示を制御する第１表示部制御手段、認証情報が入力される第１入力部、前記サーバーとの間でデータの通信を行う装置側通信部、及び、前記装置側通信部を制御する装置側通信制御手段として機能させ、前記サーバーを、ユーザに関する前記認証情報に関連付けられた画像データファイルを記憶する記憶部、前記認証情報が所定の情報を具備しているか否かの判断を行う認証判断手段、前記認証情報が前記所定の情報を具備していると前記認証判断手段が判断したときに当該認証情報に関するユーザの前記携帯端末を特定する携帯端末特定手段、前記画像記録装置又は前記携帯端末との間でデータの通信を行うサーバー側通信部、及び、前記サーバー側通信部を制御するサーバー側通信制御手段として機能させ、前記携帯端末を、第２表示部、前記第２表示部の表示を制御する第２表示部制御手段、前記サーバーとの間でデータの通信を行う端末側通信部、及び、前記端末側通信部を制御する端末側通信制御手段として機能させ、前記装置側通信制御手段は、前記装置側通信部により前記第１入力部に入力された前記認証情報を前記サーバーに送信させ、前記サーバー側通信部で受信した当該認証情報が前記認証判断手段により前記所定の情報を具備している判断された場合、前記サーバー側通信制御手段は前記サーバー側通信部により、前記所定の情報を具備していると判断された前記認証情報に関連付けられた前記画像データファイルの識別情報である特定識別情報を、前記携帯端末特定手段により特定された前記携帯端末に送信させ、前記第２表示部制御手段は、前記端末側通信部で受信した前記特定識別情報を前記第２表示部に表示させる。
【００１３】
本発明の画像記録装置は、画像記録装置と、前記画像記録装置とデータの通信を行なう携帯端末とを備える画像記録システムの前記画像記録装置であって、ユーザに関する認証情報に関連付けられた画像データファイルを記憶する記憶部と、記録媒体に前記画像データファイルに係る画像を記録する記録部と、第１表示部と、前記第１表示部の表示を制御する第１表示部制御手段と、前記認証情報が入力される第１入力部と、前記認証情報が所定の情報を具備しているか否かの判断を行う認証判断手段と、前記第１入力部に入力された前記認証情報が前記所定の情報を具備していると前記認証判断手段が判断したとき、当該認証情報に関するユーザの前記携帯端末を特定する携帯端末特定手段と、前記携帯端末との間でデータの通信を行う装置側通信部と、前記認証判断手段により前記所定の情報を具備していると判断された前記認証情報に関連付けられた前記画像データファイルの識別情報である特定識別情報を、前記装置側通信部により前記携帯端末特定手段により特定された前記携帯端末に送信する装置側送信制御手段とを有している。
【００１４】
本発明のプログラムは、表示部を有する携帯端末とデータの通信を行なうことが可能であって、記録媒体に画像データファイルに係る画像を記録する記録部と、第１表示部と、ユーザに関する認証情報が入力される第１入力部と、前記携帯端末との間でデータの通信を行う装置側通信部とを有する画像記録装置に用いられるプログラムであって、前記画像記録装置を、ユーザに関する前記認証情報に関連付けられた画像データファイルを記憶する記憶部、前記第１表示部の表示を制御する第１表示部制御手段、前記第１入力部に入力された前記認証情報が所定の情報を具備しているか否かの判断を行う認証判断手段、前記第１入力部に入力された前記認証情報が前記所定の情報を具備していると前記認証判断手段が判断したとき、当該認証情報に関するユーザの前記携帯端末を特定する携帯端末特定手段、及び、前記認証判断手段により前記所定の情報を具備していると判断された前記認証情報に関連付けられた前記画像データファイルの識別情報である特定識別情報を、前記装置側通信部により前記携帯端末特定手段により特定された前記携帯端末に送信する装置側送信制御手段として機能させる。
【００１５】
本発明によると、認証情報に関連付けられた画像データファイルの識別情報が携帯端末の第１表示部にのみ表示されるため、当該識別情報が他のユーザに見られるのを防止することができる。
【００１６】
本発明においては、前記画像記録装置が、前記画像記録装置と前記携帯端末との距離を計測する距離計測手段を更に備えており、前記携帯端末特定手段は、前記第１入力部によって入力された前記認証情報が前記所定の情報を具備していると前記認証判断手段が判断したとき、当該認証情報に関するユーザの前記携帯端末で且つ前記距離計測手段が計測した距離が所定値以下の前記携帯端末を特定することが好ましい。例えば、認証入力を行ったユーザが携帯端末を携帯している場合にのみ、認証情報に関連付けられた画像データファイルの識別情報が携帯端末の第１表示部にのみ表示されるように制御することが可能となる。
【００１７】
また、本発明の第１の観点において、前記第１表示部制御手段は、前記第１入力部によって入力された前記認証情報が前記所定の情報を具備していると前記認証判断手段が判断したとき、前記携帯端末特定手段が前記携帯端末を特定できなければ、前記特定識別情報を前記第１表示部に表示させる。これによると、ユーザが携帯端末を所持していない場合であっても、認証情報に関連付けられた画像データファイルの識別情報を確認することができる。
【００１８】
このとき、前記画像記録装置は、前記特定識別情報を前記第１表示部に表示させることを許可するか否かのユーザ入力がなされる第２入力部を更に有し、前記第１表示部制御手段は、前記第１入力部によって入力された前記認証情報が前記所定の情報を具備していると前記認証判断手段が判断したとき、前記携帯端末特定手段が前記携帯端末を特定できなければ、特定できなかった旨を前記第１表示部に表示させ、前記第２入力部への表示を許可する旨のユーザ入力後に前記特定識別情報を前記第１表示部に表示させることがより好ましい。これによると、ユーザが携帯端末を所持していない場合であっても、ユーザの許可を得て、認証情報に関連付けられた画像データファイルの識別情報を表示させることで、当該識別情報が他のユーザに見られるのを防止することができる。
【００１９】
本発明においては、前記画像記録装置は、ユーザに関する認証情報が入力される第３入力部をさらに備えており、前記認証判断手段は、前記第３入力部によって入力された前記認証情報が前記所定の情報を具備しているか否かをさらに判断し、前記第１表示部制御手段は、前記第３入力部によって入力された前記認証情報が前記所定の情報を具備していると前記認証判断手段が判断したとき、前記特定識別情報を、前記第１表示部に表示させることが好ましい。これによると、ユーザが第１及び第３入力部を使い分けることによって、識別情報を携帯端末に表示させるか否かを選択することができる。
【００２０】
また、本発明において、前記携帯端末は、前記認証情報を記憶する認証情報記憶手段と、前記認証情報記憶手段に記憶された前記認証情報を接触方式又は非接触方式で前記第１入力部に入力する通信手段とをさらに有していることが好ましい。これによると、第１入力手段に対して認証情報を簡単に入力することができる。
【００２１】
さらに、本発明において、前記第２表示部制御手段は、前記特定識別情報を前記携帯端末特定手段によって特定された前記携帯端末の前記第２表示部に表示させた後、前記画像データファイルに関する画像を前記第２表示部にプレビュー表示させることが好ましい。これによると、ユーザが識別情報の内容を把握することができる。
【００２２】
加えて、本発明において、前記第１表示部制御手段は、前記特定識別情報を前記第２表示部制御手段が前記第２表示部に表示させているときは、前記第１表示部にその旨を表示させることが好ましい。これによると、携帯端末に識別情報が表示されていることをユーザが知ることができる。
【００２３】
また、本発明の第２の観点において、前記第１表示部制御手段は、前記記憶部に記憶された前記画像データファイルのうち、前記認証情報に関連付けられていない前記画像データファイルの識別情報を前記第１表示部に表示させる。これによると、秘匿性の低い識別情報が携帯端末に送信されることがないため、データ処理が簡素化される。
【００２４】
さらに、本発明において、前記第２表示部制御手段は、前記記憶部に記憶された前記画像データファイルのうち、前記認証情報に関連付けられていない前記画像データファイルの識別情報を前記第２表示部に表示させず、前記第１表示部制御手段は、前記記憶部に記憶された前記画像データファイルのうち、前記認証情報に関連付けられていない前記画像データファイルの識別情報を前記第１表示部に表示させることが好ましい。これによると、これによると、秘匿性の低い識別情報が携帯端末に送信されることがないため、データ処理が簡素化される。
【発明の効果】
【００２５】
本発明によると、認証情報に関連付けられた画像データファイルの識別情報が携帯端末の第１表示部にのみ表示されるため、当該識別情報が他のユーザに見られるのを防止することができる。
【図面の簡単な説明】
【００２６】
【図１】本発明の第１実施形態によるプリントシステムの概略構成図である。
【図２】図１に示すプリントシステムの機能ブロック図である。
【図３】図１に示すプリントシステムの動作を示すフローチャートである。
【図４】本発明の第２実施形態によるプリントシステムの機能ブロック図である。
【図５】図４に示すプリントシステムの動作を示すフローチャートである。
【図６】本発明の変形例によるプリントシステムの機能ブロック図である。
【図７】本発明のさらなる変形例によるプリントシステムの機能ブロック図である。
【発明を実施するための形態】
【００２７】
＜第１実施形態＞
以下、本発明の好適な第１実施形態について、図面を参照しつつ説明する。
【００２８】
図１に示すように、プリントシステム７０は、無線ＬＡＮ（Local Area Network）を介して互いに無線通信可能となっているサーバー７１と、プリンタ１と、一又は複数のＰＣ（パーソナルコンピュータ）７２と、一又は複数の携帯端末７３とを有している。ユーザはＰＣ７２を介してプリンタ１を操作することができる。
【００２９】
図２に示すように、サーバー７１は、サーバー側制御部５９、認証データベース記憶部（携帯端末特定手段の一部）５１と、通信部５８（サーバー側通信部）とを有している。サーバー側制御部５９は、１又は複数のコンピュータからなり、各コンピュータはＣＰＵ（Central Processing Unit）、ＣＰＵが実行するプログラムやプログラムで使用されるデータを書き替え可能に記憶するＥＥＰＲＯＭ（Electrically Erasable and Programmable Read Only Memory）、ＣＰＵがプログラム実行時にデータを一時的に記憶するためのＲＡＭ、ＣＰＵと外部機器を接続するためのインターフェース、およびこれらを接続する内部経路等を備えている（それぞれ不図示）。このＣＰＵが実行するプログラムは、フレキシブルディスク、ＣＤ−ＲＯＭ、メモリカード等の各種記憶媒体に記憶されており、これらの記憶媒体からＥＥＰＲＯＭにインストールされる。そして、このプログラムがＣＰＵで実行されることにより、サーバー側制御部５９の機能が実現される。サーバー側制御部５９は各機能を構成する部として、認証判断部５２（認証判断手段）と通信制御部５３（サーバー側通信制御手段）とを有している。認証データベース記憶部５１は、それぞれのユーザに関する認証情報と携帯端末７３とが関連付けられたデータベースを記憶している。通信部５８は、サーバー側制御部５９の通信制御部５３の制御のもと、プリンタ１と情報の送受信を行うためのものであり、既知の外部出力用の通信インターフェース装置などが該当する。認証判断部５２は、認証データベース記憶部５１に記憶されたデータベースを参照することで、プリンタ１から受信した認証情報が所定の情報を具備しているか否かを判断する。そして通信制御部５３は、この判断結果を通信部５８によりプリンタ１に送信する。なお、所定の情報は、認証判断部５２が記憶していてもよいし、認証データベース記憶部５１に記憶されたそれぞれのユーザに関する認証情報をこの所定の情報として、プリンタ１から受信した認証情報と一致することを所定の情報を具備したことと判断してもよい。
【００３０】
携帯端末７３は、携帯側制御部６９、タッチパネル６１（第２表示部）と、認証情報記憶部６３と、ＩＣカード６４と、通信部６８（端末側通信部）とを有している。携帯側制御部６９は、１又は複数のコンピュータからなり、各コンピュータはＣＰＵ（Central Processing Unit）、ＣＰＵが実行するプログラムやプログラムで使用されるデータを書き替え可能に記憶するＥＥＰＲＯＭ（Electrically Erasable and Programmable Read Only Memory）、ＣＰＵがプログラム実行時にデータを一時的に記憶するためのＲＡＭ、ＣＰＵと外部機器を接続するためのインターフェース、およびこれらを接続する内部経路等を備えている（それぞれ不図示）。このＣＰＵが実行するプログラムは、フレキシブルディスク、ＣＤ−ＲＯＭ、メモリカード等の各種記憶媒体に記憶されており、これらの記憶媒体からＥＥＰＲＯＭにインストールされる。そして、このプログラムがＣＰＵで実行されることにより、携帯側制御部６９の機能が実現される。携帯側制御部６９は各機能を構成する部として、ＵＩ制御部６２（第２表示部制御手段）と通信制御部６７（端末側通信制御手段）とを有している。タッチパネル６１は、携帯端末７３の表示部と入力デバイスとを兼ねている。認証情報記憶部６３は、当該携帯端末７３のユーザに関する認証情報が記憶されている。ＩＣカード６４は、認証情報記憶部６３に記憶された認証情報を所定規格の通信プロトコルを用いた非接触データ通信（例えば、電磁誘導を用いた通信）により読み取り可能とする非接触型のＩＣカードである。ＩＣカード６４はチップ型となっており、携帯端末７３に内蔵されている。通信部６８は、携帯側制御部６９の通信制御部６７の制御のもと、プリンタ１と情報の送受信を行うためのものであり、既知の外部出力用の通信インターフェース装置などが該当する。
【００３１】
ＵＩ制御部６２は、タッチパネル６１を制御する。また、ＵＩ制御部６２は、無線ＬＡＮを介してプリンタ1から送信され、通信部６８で受信した複数の画像データファイルの識別情報である特定識別情報（後述）の一覧をタッチパネル６１に表示させる。また、タッチパネル６１に表示された特定識別情報からユーザが選択した特定識別情報を認識する。この特定識別情報は、通信制御部６７の制御のもと、通信部６８により無線ＬＡＮを介してプリンタ１に送信される。なお、ＵＩ制御部６２は、特定識別情報とされる可能性がない識別情報（パブリックレベルの識別情報：後述）についてはタッチパネル６１に表示させない。ＵＩ制御部６２はタッチパネル６１に表示させた特定識別情報の一部又は全部について印刷内容をプレビューするためのプレビュー画面を表示させることも可能に構成されている。
【００３２】
プリンタ１は、プリンタ側制御部４９、ユーザ認証に用いられるＩＣカードリーダ１１（第１入力部）と、操作パネル１２（第１表示部）と、印刷機構１３（記録部）と、画像データファイル記憶部４１（記憶部）、通信部４８（装置側通信部）とを有している。プリンタ側制御部４９は、１又は複数のコンピュータからなり、各コンピュータはＣＰＵ（Central Processing Unit）、ＣＰＵが実行するプログラムやプログラムで使用されるデータを書き替え可能に記憶するＥＥＰＲＯＭ（Electrically Erasable and Programmable Read Only Memory）、ＣＰＵがプログラム実行時にデータを一時的に記憶するためのＲＡＭ、ＣＰＵと外部機器を接続するためのインターフェース、およびこれらを接続する内部経路等を備えている（それぞれ不図示）。このＣＰＵが実行するプログラムは、フレキシブルディスク、ＣＤ−ＲＯＭ、メモリカード等の各種記憶媒体に記憶されており、これらの記憶媒体からＥＥＰＲＯＭにインストールされる。そして、このプログラムがＣＰＵで実行されることにより、プリンタ側制御部４９の機能が実現される。プリンタ側制御部４９は各機能を構成する部として、携帯端末特定部４２（携帯端末特定手段）、ＵＩ制御部４３（第１表示部制御手段）及び印刷制御部４４、通信制御部４７（装置側通信制御手段、装置側送信制御手段）とを有している。
【００３３】
ＩＣカードリーダ１１は、ユーザが携帯端末７３を近接させたときに当該携帯端末７３に内蔵されたＩＣカード６４との間で非接触通信を行うことによって、当該携帯端末７３のユーザに関する認証情報を入力するデバイスである。なお、ＩＣカードリーダ１１に入力された認証情報は、プリンタ側制御部４９の通信制御部４７の制御のもと、通信部４８によりサーバー７１に送信される。操作パネル１２は、プリンタ１の表示部（第１表示部）と入力デバイス（第２及び第３入力部）とを含む。なお、ユーザは、操作パネル１２から認証情報を手入力することが可能となっている。印刷機構１３は、ＰＣ７２から受信した印刷指令や操作パネル１２からの操作によって、用紙への画像印刷を行う。
【００３４】
画像データファイル記憶部４１は、プリンタ１によって印刷するために必要なデータを含む画像データファイルを記憶する。画像データファイルには、予め記憶されているものと、ＰＣ７２やサーバー７１から受信したものとがある。各画像データファイルは、セキュリティレベルが設定されている。セキュリティレベルには、全てのユーザに画像データファイルの公開が許可されるパブリックレベルと特定のユーザのみに画像データファイルの公開が許可されるプライベートレベルとがある。具体的には、パブリックレベルの画像データファイルは特定の認証情報に関連付けられておらず、プライベートレベルの画像データファイルはすべてそれぞれのユーザに対応する認証情報に関連付けられている。画像データファイル記憶部４１は、画像データファイルと認証情報とが関連付けられたデータベースをさらに記憶している。
【００３５】
通信部４８は、プリンタ側制御部４９の通信制御部４７の制御のもと、サーバー７１及び携帯端末７３と情報の送受信を行うためのものであり、既知の外部出力用の通信インターフェース装置などが該当する。
【００３６】
携帯端末特定部４２は、ＩＣカードリーダ１１に入力された認証情報に関するユーザの携帯端末７３を特定するものである。具体的には、ＩＣカードリーダ１１に入力された認証情報が通信制御部４７により通信部４８を介してサーバー７１に送信され、サーバー７１の認証判断部５２は、通信部５８で受信した当該認証情報が所定の情報を具備しているか（認証データベース記憶部５１に記憶された認証情報と一致するかなど）を判断する。ここで、所定の情報を具備していると判断すれば当該認証情報に関連付けられている携帯端末７３の情報とこの判断結果が、通信制御部５３により通信部５８を介してプリンタ１に送信される。この携帯端末７３の情報と判断結果をプリンタ１の通信部４８で受信すると、携帯端末特定部４２がＩＣカードリーダ１１に入力された認証情報に関するユーザの携帯端末７３が、受信した携帯端末７３に係る携帯端末７３であると特定する。
【００３７】
ＵＩ制御部４３は、操作パネル１２を制御する。また、前述の通信制御部５３により通信部５８を介してプリンタ１に送信された携帯端末７３の情報と判断結果をプリンタ１の通信部４８で受信すると、ＵＩ制御部４３は、画像データファイル記憶部４１のデータベースを参照することで、画像データファイル記憶部４１に記憶された画像データファイルのうち当該認証情報に関連付けられたプライベートレベルの画像データファイルの識別情報（例えば、ファイル名）である特定識別情報を抽出する。なお、この抽出された特定識別情報については、通信制御部４７により、通信部４８を介して前述した携帯端末特定部４２により特定された携帯端末７３に送信される。そして、この携帯端末７３において、ＵＩ制御部６２により、この抽出された特定識別情報がタッチパネル６１に表示される。このとき、プリンタ側制御部４９のＵＩ制御部４３は、抽出した特定識別情報が携帯端末７３のタッチパネル６１に表示されていることを操作パネル１２に表示させる。
【００３８】
なお、携帯端末特定部４２が携帯端末７３を特定することができない場合、例えば、認証データベース記憶部５１に記憶された情報について、認証情報に関連付けられている携帯端末７３の情報がなかった場合については、ＵＩ制御部４３は、携帯端末７３を特定することができなかった旨を操作パネル１２に表示させる。このとき、ＵＩ制御部４３は、抽出した特定識別情報を操作パネル１２に表示させるか否かの許可をユーザに求める選択画面を操作パネル１２にさらに表示させ、ユーザが表示許可を選択した後に抽出した特定識別情報を操作パネル１２に表示させる。
【００３９】
一方、ＵＩ制御部４３は、ＩＣカードリーダ１１ではなく操作パネル１２に認証情報が入力された場合、抽出した特定識別情報を操作パネル１２に表示させる。なお、ＵＩ制御部４３は、画像データファイル記憶部４１に記憶された画像データファイルのうち、パブリックレベルの画像データファイルの識別情報は常に操作パネル１２に表示させる。
【００４０】
印刷制御部４４は、印刷指令に基づいて印刷機構１３の駆動を制御する。印刷指令にはセキュア印刷と通常印刷とがある。セキュア印刷とは、ユーザが携帯端末７３や操作パネル１２を用いて印刷すべき画像データファイルの認証情報を選択するまで、プリンタ１が当該印刷指令に係る印刷を開始しない印刷動作である。このように、セキュア印刷においては、ユーザ監視の元で印刷が開始されるため、印刷物のセキュリティが高くなる。具体的には、印刷制御部４４は、通常印刷に係る印刷指令を受信したときは、受信した画像データファイルが示す画像が用紙に印刷されるように、印刷機構１３の駆動を制御し、セキュア印刷に係る印刷指令を受信したときは、認証判断後にユーザが携帯端末７３のタッチパネル６１又は操作パネル１２において選択した特定識別情報に関する画像データファイルを展開して当該画像データファイルが示す画像が用紙に印刷されるように、印刷機構１３の駆動を制御する。
【００４１】
図３を参照しつつ、プリントシステム７０の印刷動作について説明する。図３に示すように、ＰＣ７２や携帯端末７３からプリンタ１に印刷指令が送信されると、通信部４８でこの印刷指令を受信し、印刷制御部４４が、受信した印刷指令がセキュア印刷か否かを判断する（Ｓ１０１）。このとき、印刷指令に画像データが含まれていれば、当該画像データが画像データ記憶部４１に記憶される。印刷制御部４４は、受信した印刷指令がセキュア印刷でなければ通常印刷と判断し（Ｓ１０１：ＮＯ）、受信した画像データファイルが示す画像が用紙に印刷されるように、印刷機構１３の駆動を制御する（Ｓ１０２）。なお、通常印刷と判断した場合、当該画像データを画像データ記憶部４１に記憶させずに印刷してもよい。
【００４２】
印刷制御部４４が、受信した印刷指令がセキュア印刷であると判断すれば（Ｓ１０１：ＹＥＳ）、ユーザがＩＣカードリーダ１１又は操作パネル１２に認証情報を入力したとき、入力された認証情報が通信制御部４７により通信部４８を介してサーバー７１に送信され、サーバー７１の認証判断部５２は、通信部５８で受信した当該認証情報が所定の情報を具備しているか（認証データベース記憶部５１に記憶された情報と一致するか）を判断する。（Ｓ１０３）。認証判断部５２が入力された認証情報が所定の情報を具備していないと判断したときは（Ｓ１０３：ＮＯ）、入力された認証情報が所定の情報を具備していないことを示す情報が通信制御部５３により通信部５８を介してプリンタ１に送信され、この情報をプリンタ１の通信部４８で受信すると、ＵＩ制御部４３は、再び認証情報が入力されるまで待機する。なお、この場合、ＵＩ制御部４３は、入力された認証情報が所定の情報を具備していないことを示す情報を操作パネル１２に表示させてもよい。逆に、サーバー７１の認証判断部５２が、認証判断部５２が入力された認証情報が所定の情報を具備していると判断したときは（Ｓ１０３：ＹＥＳ）、認証データベース記憶部に記憶されているこの認証情報に関連付けられている携帯端末７３の情報及びこの判断結果が、通信制御部５３により通信部５８を介してプリンタ１に送信され、この携帯端末７３の情報と判断結果をプリンタ１の通信部４８で受信する。また、ＵＩ制御部４３は、画像データファイル記憶部４１に記憶された画像データファイルのうち、パブリックレベルの画像データファイルの識別情報を操作パネル１２に表示させる（Ｓ１０４）。
【００４３】
そして、ステップＳ１０３でＩＣカードリーダ１１に認証情報が入力されたのではなく、操作パネル１２に認証情報が入力された場合（Ｓ１０５：ＮＯ）、ＵＩ制御部４３は、当該認証情報に関連付けられたプライベートレベルの画像データファイルを抽出し、抽出されたファイルに係る特定識別情報を操作パネル１２に表示させる（Ｓ１１０）。ステップＳ１０３でＩＣカードリーダ１１に認証情報が入力された場合（Ｓ１０５：ＹＥＳ）、携帯端末特定部４２が、認証情報に関連付けられている携帯端末７３の情報をプリンタ１の通信部４８で受信できれば、受信した携帯端末７３がユーザの携帯端末７３として特定する（Ｓ１０６：ＹＥＳ）。そして、ＵＩ制御部４３が、画像データファイル記憶部４１に記憶された画像データファイルのうち当該認証情報に関連付けられたプライベートレベルの画像データファイルの識別情報を抽出すると共に、抽出した特定識別情報が通信部４８を介して通信制御部４７により、携帯端末特定部４２により特定された携帯端末７３へ送信される。そして、ＵＩ制御部６２は、通信部６８を介してプリンタ１から受信した画像データファイルの特定識別情報の一覧をタッチパネル６１に表示させる（Ｓ１０７）。このとき、ＵＩ制御部４３は、抽出した特定識別情報が携帯端末のタッチパネル６１に表示されていること（アラーム）を操作パネル１２に表示させる（Ｓ１０８）。
【００４４】
携帯端末特定部４２が、当該認証情報に関するユーザの携帯端末７３を特定することができない場合（Ｓ１０６：ＮＯ）、ＵＩ制御部４３は、携帯端末７３を特定することができなかった旨（アラーム）を操作パネル１２に表示させる（Ｓ１０９）。そして、ＵＩ制御部４３は、抽出した特定識別情報を操作パネル１２に表示させるか否かの許可をユーザに求める選択画面を操作パネル１２にさらに表示させ、ユーザが表示許可を選択した後に抽出した特定識別情報を操作パネル１２に表示させる（Ｓ１１０）。
【００４５】
その後、タッチパネル６１又は操作パネル１２に表示された特定識別情報からユーザが識別情報を選択するまで待機し（Ｓ１１１：ＮＯ）、ユーザが特定識別情報の選択を完了させれば（Ｓ１１１：ＹＥＳ）、印刷制御部４４は、ユーザが携帯端末７３のタッチパネル６１又は操作パネル１２において選択した特定識別情報に関する画像データファイルを展開して当該画像データファイルが示す画像が用紙に印刷されるように、印刷機構１３の駆動を制御する（Ｓ１１２）。なお、操作パネル１２に表示された特定識別情報からユーザが識別情報を選択した場合、通信制御部６７が選択された特定識別情報を通信部６８によりプリンタ１に送信し、その情報を通信部４８で受信すると、印刷制御部４４が上記の制御を行う。以上で、図４のフローチャートを終了する。
【００４６】
以上のように、本実施形態のプリントシステム７０によると、携帯端末７３を特定することができれば、認証情報に関連付けられたプライベートレベルの画像データファイルの特定識別情報が携帯端末７３のタッチパネル６１にのみ表示されるため、当該特定識別情報が他のユーザに見られるのを防止することができる。
【００４７】
また、携帯端末７３を特定できないとき、ユーザ許可後に認証情報に関連付けられたプライベートレベルの画像データファイルの特定識別情報を操作パネル１２に表示させることができるため、ユーザがＩＣカード６４（携帯端末７３）を所持していない場合であっても、ユーザの許可を得て、認証情報に関連付けられたプライベートレベルの画像データファイルの特定識別情報を表示させることができる。
【００４８】
このとき、操作パネル１２においてユーザの許可を得て、認証情報に関連付けられたプライベートレベルの画像データファイルの特定識別情報を操作パネル１２に表示させるため、当該特定識別情報が他のユーザに見られるのを防止することができる。
【００４９】
ユーザが、認証情報の入力先としてＩＣカードリーダ１１及び操作パネル１２のいずれかを選択的に使い分けることによって、プライベートレベルの画像データファイルの特定識別情報を携帯端末７３に表示させるか否かを選択することができる。
【００５０】
ＩＣカードリーダ１１で認証情報を入力することで、認証情報を簡単に入力することができる。
【００５１】
タッチパネル６１に画像データファイルのプレビューを表示させることができるため、ユーザが特定識別情報の内容を把握することができる。
【００５２】
認証情報に関連付けられたプライベートレベルの画像データファイルの特定識別情報をタッチパネル６１に表示させているときは、操作パネル１２にその旨を表示させるため、携帯端末７３に特定識別情報が表示されていることをユーザが知ることができる。
【００５３】
認証情報に関連付けられていないパブリックレベルの画像データファイルの特定識別情報をタッチパネル６１に表示させることなく操作パネル１２に表示させることができるため、秘匿性の低い識別情報が携帯端末に送信されることがさらになくなり、データ処理がより簡素化される。
【００５４】
＜第２実施形態＞
図４を参照しつつ第２実施形態について説明する。なお、第１実施形態と実質的に同様な部材及び機能部については同一の符号を付して説明を省略する。図４に示すように、本実施形態においては、ＩＣカード２６４が携帯端末２７３と別体となっている。ＩＣカードリーダ１１とＩＣカード２６４とを近接させたときに両者の間で非接触通信を行う。
【００５５】
プリンタ２０１が距離検出部２４５（距離計測手段）をさらに有している。距離検出部２４５は、プリンタ２０１と携帯端末２７３との距離を計測する。距離の計測は、プリンタ２０１と携帯端末２７３との間で直接的に行われる無線通信の信号強度から算出される。携帯端末特定部２４２は、ＩＣカードリーダ１１に入力された認証情報が所定の情報を具備していると認証判断部５２が判断したとき、当該認証情報に関するユーザの携帯端末２７３で且つ距離計測部２４５が計測した距離が所定値（例えば２ｍ）以下の携帯端末２７３を特定する。
【００５６】
図５を参照しつつ、本実施形態に係るプリントシステムの印刷動作について説明する。図５に示すように、第１実施形態との違いは、ＩＣカードリーダ１１に認証情報が入力された場合（Ｓ１０５：ＹＥＳ）、携帯端末特定部４２が、入力された認証情報に関するユーザの携帯端末７３を特定するに際して、計測した距離が所定値以下となる近距離範囲にあることを条件に加えている点である（Ｓ２０６）。具体的には、認証情報に関連付けられている携帯端末７３の情報をプリンタ１の通信部４８で受信したことを携帯端末特定部４２が認識すると、さらに、通信制御部４７により、当該携帯端末７３にプリンタ２０１と当該携帯端末７３との距離を計測するための無線信号が当該携帯端末７３へ発信される。この無線信号を通信部６８で受信した当該携帯端末７３では、通信制御部６７により、この無線信号に対応する応答信号が通信部６８を介してプリンタ２０１へ無線送信される。この応答信号については予め所定の信号強度が規定されており、この応答信号を通信部４８で受信すると、距離検出部２４５において、受信した応答信号の強度と所定の信号強度と強度差（又は、信号強度の減衰率）に基づいてプリンタ２０１と携帯端末２７３との距離が計測される。強度差が大きいほど、又は、減衰率が大きいほどプリンタ２０１と携帯端末７３との距離が大きくなるように計算される。携帯端末特定部４２では、距離計測部２４５が計測した距離が所定値（例えば２ｍ）以下の携帯端末２７３を特定し、距離計測部２４５が計測した距離が所定値（例えば２ｍ）を越えている場合には携帯端末２７３を特定しない。
【００５７】
以上のように、本実施形態のプリントシステムによると、携帯端末２７３が特定することができれば、認証情報に関連付けられた画像データファイルの特定識別情報が携帯端末２７３のタッチパネル６１にのみ表示されるため、当該特定識別情報が他のユーザに見られるのを防止することができる。
【００５８】
また、携帯端末特定部４２は、ＩＣカードリーダ１１に入力された認証情報が所定の情報を具備していると認証判断部５２が判断したとき、当該認証情報に関するユーザの携帯端末２７３で且つ距離計測部２４５が計測した距離が所定値以下の携帯端末２７３を特定する。これにより、ＩＣカード２６４を用いて認証入力を行ったユーザが携帯端末２７３を携帯している場合にのみ、認証情報に関連付けられた画像データファイルの特定識別情報が当該携帯端末２７３のタッチパネル６１に表示される。
【００５９】
＜変形例＞
図６及び図７を参照しつつ、第１実施形態の変形例に係るプリントシステムについて説明する。図６に示すように、プリントシステムにサーバーが含まれておらず、プリンタ３０１が、認証データベース記憶部５１及び認証判断部５２を有していてもよい。図６に示す変形例では、プリンタ１に機能部が集約されているため、プリントシステムをコンパクトに構成することができる。なお、プリンタ３０１及び携帯端末７３における各構成の動作は、第１実施形態と実質的に同様であるので、説明を省略する。
【００６０】
図７に示すように、サーバー７１が、認証データベース記憶部５１、認証判断部５２、認証判断部５２及び画像データファイル記憶部４１を有していてもよい。この構成では、データ処理の中心がサーバ７１で行われるため、通信部５８とプリンタ４０１の通信部４８及び携帯端末７３の通信部６８との間で通信が行われる。この形態ではサーバー７１に画像データファイルや認証データベースが記憶されるので、データ漏洩のリスクを低減でき、また、通信制御の中心をサーバーに設けているので、プリンタ４０１の通信制御部を簡素化できる。なお、プリンタ４０１、サーバー７１及び携帯端末７３における各構成の動作は、第１実施形態と実質的に同様であるので、説明を省略する。なお、サーバー７１の機能部を複数のサーバーに点在して設けてもよい。
【００６１】
以上、本発明の好適な実施形態について説明したが、本発明は上述の実施形態に限られるものではなく、特許請求の範囲に記載した限りにおいて様々な変更が可能なものである。上述の実施形態においては、携帯端末７３を特定できないとき、ユーザの許可後に、認証情報に関連付けられたプライベートレベルの画像データファイルの特定識別情報を操作パネル１２に表示させる構成であるが、当該特定識別情報を操作パネル１２に表示させない構成であってもよい。なお、この場合であっても、操作パネル１２にアラームを表示させることが好ましい。
【００６２】
また、上述の実施形態においては、操作パネル１２においてユーザの許可を得て、認証情報に関連付けられたプライベートレベルの画像データファイルの特定識別情報を操作パネル１２に表示させる構成であるが、ユーザの許可なく当該特定識別情報を操作パネル１２に表示させる構成であってもよい。
【００６３】
さらに、上述の実施形態においては、ユーザが、認証情報の入力先をＩＣカードリーダ１１及び操作パネル１２のいずれかを選択的に使い分けることができる構成であるが、ＩＣカードリーダ１１及び操作パネル１２のいずれか一方のみ利用することができる構成であってもよいし、他の入力手段を有する構成であってもよい。なお、操作パネル１２のみを利用する場合には、例えば図３においてステップＳ１０５の判断を省略してステップＳ１０６、Ｓ１０７のステップだけを行うようにすればよい。
【００６４】
加えて、上述の実施形態においては、タッチパネル６１に画像データファイルのプレビューを表示させることができる構成であるが、プレビューを表示させない構成であってもよい。
【００６５】
また、上述の実施形態においては、認証情報に関連付けられたプライベートレベルの画像データファイルの特定識別情報をタッチパネル６１に表示させているときは、操作パネル１２にその旨を表示させる構成であるが、操作パネル１２にその旨を表示させない構成であってもよい。
【００６６】
さらに、上述の実施形態においては、認証情報に関連付けられていないパブリックレベルの画像データファイルの特定識別情報をタッチパネル６１に表示させることなく操作パネル１２に表示させる構成であるが、パブリックレベルの画像データファイルの識別情報をタッチパネル６１に表示させてもよいし、この場合、当該特定識別情報を操作パネル１２に表示させない構成であってもよい。
【００６７】
上述の実施形態においては、画像データファイル記憶部４１が、画像データファイルと認証情報とが関連付けられたデータベースをさらに記憶している構成であるが、このデータベースを記憶する記憶部が別途構成されていてもよい。
【００６８】
さらに、上述の実施形態においては、プリンタ１は印刷機能のみを有する構成であるが、プリンタが複写機構を有していてもよい。この場合、近距離範囲において複写機構に関する操作画面が携帯端末に表示されることが好ましい。これによると、複写機構に関する操作は複写機の元で行われるため、ユーザが複写機構に関する操作を素早く開始することができる。
【００６９】
また、上述の実施形態においては、無線ＬＡＮを介してサーバー７１と、プリンタ１と、一又は複数のＰＣ（パーソナルコンピュータ）７２が無線通信可能となっている構成であるが、有線により相互に接続されていてもよい。つまり、無線通信可能に構成されているのは携帯端末７３であればよい。
【００７０】
また、上述の実施形態においては、認証情報に関連付けられている携帯端末７３の情報を通信部４８で受信すると、携帯端末特定部４２が携帯端末７３を特定する構成であるが、特定した携帯端末７３と通信可能であるかどうかを確認したうえでこの特定を行なってもよい。これは、携帯端末７３の電源がＯＦＦになっている場合を考慮するものである。確認方法としては携帯端末７３に受信可能かどうかを確認する予備信号を送信し、この予備信号に対して応答があるかどうかで判断する。
【００７１】
本発明は、プリンタに限定されず、ファクシミリやコピー機などにも適用可能である。
【符号の説明】
【００７２】
１     プリンタ
１１   ＩＣカードリーダ
１２   操作パネル
１３   印刷機構
４１   画像データファイル記憶部
４２   携帯端末特定部
４３   ＵＩ制御部
４４   印刷制御部
５１   認証データベース記憶部
５２   認証判断部
６１   タッチパネル
６２   ＵＩ制御部
６３   認証情報記憶部
６４   ＩＣカード
７０   プリントシステム
７１   サーバー
７２   ＰＣ
７３   携帯端末
【図１】
0005780099.tif 000002
【図２】
0005780099.tif 000003
【図３】
0005780099.tif 000004
【図４】
0005780099.tif 000005
【図５】
0005780099.tif 000006
【図６】
0005780099.tif 000007
【図７】
0005780099.tif 000008